(57)【要約】      （修正有）【課題】吸収性本体の端縁近傍（ウエスト周り）の通気性と柔軟性を損なうことなく、しかも尿などの排泄物が漏れ出しにくくする。【解決手段】本発明の使い捨ておむつは、吸収性本体１０とウエスト形成シート２０を備える。ここで、ウエスト形成シート２０は、吸収性本体１０の外面側に重ねられ、吸収性本体１０の長手方向の端縁寄りの一端縁が固定端縁２１となり、他端縁が自由端縁２２となる。また、ウエスト形成シート２０は、固定端縁２１側の一部が、固定部２３において吸収性本体１０の外面に対して固定されている。これにより、ウエスト形成シート２０は、固定部２３を折返線として折り返すことで自由端縁２２側の一部が吸収性本体１０の長手方向の端縁から延出するように構成されている。【選択図】図１
2015150245.tif 000002
【特許請求の範囲】
【請求項１】
吸収体（１１）と、当該吸収体（１１）の内面を被覆する液透過性のトップシート（１２）と、当該吸収体（１１）の外面を被覆する液不透過性のバックシート（１３）と、を有する吸収性本体（１０）を備えた、
使い捨ておむつであって、
通気性を持つ少なくとも一つのウエスト形成シート（２０）を、さらに備え、
前記ウエスト形成シート（２０）は、
前記吸収性本体（１０）の外面側に重ねられ、
前記吸収性本体（１０）の長手方向の端縁寄りの一端縁が固定端縁（２１）となり、他端縁が自由端縁（２２）となり、
固定端縁（２１）側の一部は、固定部（２３）において、前記吸収性本体（１０）の外面に対して固定されており、
前記固定部（２３）を折返線として折り返すことで、前記自由端縁（２２）側の一部が、前記吸収性本体（１０）の長手方向の端縁から延出する、
使い捨ておむつ。
【請求項２】
前記ウエスト形成シート（２０）には、当該ウエスト形成シート（２０）の幅方向両端縁から延出する少なくとも左右一対の止着テープ（３０）が取り付けられている、
請求項１に記載の使い捨ておむつ。
【請求項３】
前記ウエスト形成シート（２０）のうちの一つは、前記吸収性本体（１０）の前身頃（１０Ａ）側に位置する前身頃シート（２０Ａ）であり、
前記ウエスト形成シート（２０）のうちのもう一つは、前記吸収性本体（１０）の後身頃（１０Ｂ）側に位置する後身頃シート（２０Ｂ）であり、
前記前身頃シート（２０Ａ）と前記後身頃シート（２０Ｂ）は、切断可能線（２４）を介して予め一体に形成されており、
前記切断可能線（２４）を破断させたときの破断線が、前記前身頃シート（２０Ａ）の前記自由端縁（２２）と、前記後身頃シート（２０Ｂ）の前記自由端縁（２２）と、に相当する、
請求項１又は請求項２に記載の使い捨ておむつ。
【請求項４】
前記ウエスト形成シート（２０）のうちの一つは、前記吸収性本体（１０）の前身頃（１０Ａ）側に位置する前身頃シート（２０Ａ）であり、
前記ウエスト形成シート（２０）のうちのもう一つは、前記吸収性本体（１０）の後身頃（１０Ｂ）側に位置する後身頃シート（２０Ｂ）であり、
前記前身頃シート（２０Ａ）と前記後身頃シート（２０Ｂ）は、別々のシートである、
請求項１又は請求項２に記載の使い捨ておむつ。
【請求項５】
前記吸収性本体（１０）は、前記前身頃（１０Ａ）及び前記後身頃（１０Ｂ）の少なくともいずれか一方に、幅方向の左右外側に延出した左右一対のサイドフラップ（１４）を有し、
前記サイドフラップ（１４）には、幅方向の端縁から延出する止着テープ（１５）が取り付けられており、
前記ウエスト形成シート（２０）の前記固定端縁（２１）側の一部は、前記固定部（２３）において、前記吸収性本体（１０）の前記サイドフラップ（１４）が形成された部分の外面に対して固定されている、
請求項２に記載の使い捨ておむつ。
【請求項６】
ポケットシート（５０）をさらに有し、
前記ポケットシート（５０）は、接合部（５１）において、前記固定部（２３）において折り返された状態における前記ウエスト形成シート（２０）の内面側に接合されており、
前記接合部（５１）は、前記ポケットシート（５０）が、前記ウエスト形成シート（２０）の前記固定端縁（２１）側が開口となるポケットを形成するように、前記ポケットシート（５０）と前記ウエスト形成シート（２０）を接合する
請求項１から請求項５のいずれかに記載の使い捨ておむつ。
【発明の詳細な説明】
【技術分野】
【０００１】
本発明は、着用者の股下に装着されて、尿などの液体を吸収し保持するための使い捨ておむつに関する。具体的に説明すると、本発明は、例えば後身頃に設けられた止着テープを前身頃に止め付けることにより、着用者の身体に装着されるテープ型の使い捨ておむつに関する。
【背景技術】
【０００２】
従来から、テープ型やパンツ型など、種々のタイプの使い捨ておむつが知られている。例えば、テープ型の使い捨ておむつは、例えば後身頃側に止着テープが設けられ、前身頃側に止着テープを止め付けるための手段が設けられている展開可能なおむつである。テープ型の使い捨ておむつは、後身頃を着用者の背部にあてがい、前身頃を着用者の腹部にあてがった状態で、後身頃に取り付けられている止着テープを、前身頃に止め付けることにより、着用者の身体に装着することが可能である（特許文献１〜３参照）。
【０００３】
また、使い捨ておむつには、液透過性のトップシートと液不透過性のバックシートの間に吸収体が介在する構成の吸収性本体が含まれる。通常の使い捨ておむつでは、トップシートとバックシートが吸収性本体の長さ方向全体に亘って存在し、それらのシートの間に吸収体が挟み込まれている。ただし、バックシートは液不透過性のシートであり、通気性が悪いため、このバックシートが吸収性本体の長さ方向の端縁まで存在していると、吸収性本体の通気性と柔軟性が損なわれるという問題がある。特に、使い捨ておむつのウエスト周りにまでバックシートが延在していると、着用者の腹周り部分に蒸れが生じたり、肌触りが悪くなるという問題があった。
【０００４】
ここで、バックシートに起因する通気性や柔軟性の低下を解消するための技術として、従来から、トップシートをバックシートよりも長さ方向に長く延ばし、バックシートの長さを比較的短くする技術が提案されている。ただし、この従来技術では、バックシートの外面に、通気性の良い外面シート（例えば不織布）を配置し、この外面シートをバックシートよりも長さ方向に長く延ばすこととしている。これにより、吸収性本体の端縁（使い捨ておむつのウエスト周り）においては、通気性の高い外面シートとトップシートと互いにが貼り合わせられる。そして、この外面シートとトップシートの間には、通気性の低いバックシートが存在しないことなる。このような構造（トップシートをバックシートよりも長く延ばす構造）を採用することで、使い捨ておむつのウエスト周りにおける通気性と柔軟性を良化させることできるとされている。
【先行技術文献】
【特許文献】
【０００５】
【特許文献１】特開２０１２−１７９０７０号公報
【特許文献２】特開２０１３−０７０８１８号公報
【特許文献３】特開２０１３−０７０８１９号公報
【発明の概要】
【発明が解決しようとする課題】
【０００６】
しかしながら、トップシートは、吸収体の内面側（着用者の肌に触れる側）に配置され、着用者が排泄した尿などの液体が直接的に接するシート部材である。つまり、上記した従来の構造のように、トップシートがバックシートよりも長さ方向に長く延びており、このトップシートが吸収性本体の端縁を構成する構造である場合、排泄された尿などの液体がトップシートを伝って吸収性本体の端縁にまで到達し易くなる。このため、トップシートによって吸収性本体の端縁を構成すると、尿などの液体が吸収性本体の端縁にまで到達して、この端縁部分から尿漏れが発生する原因となっていた。
【０００７】
これに対し、この尿漏れを防ぐために、液不透過性のバックシートを吸収性本体の端縁にまで延在させることも考えられるが、上述したとおり、液不透過性のバックシートが吸収性本体の端縁に存在すると、吸収性本体の通気性と柔軟性が損なわれる。
【０００８】
このため、現在では、吸収性本体の端縁近傍（ウエスト周り）の通気性と柔軟性を損なうことなく、しかも尿などの排泄物が漏れ出しにくい使い捨ておむつが求められている。
【課題を解決するための手段】
【０００９】
そこで、本発明の発明者は、上記の従来技術の問題を解決する手段について鋭意検討した結果、吸収性本体の外面に、さらに別のシート部材（ウエスト形成シート）を貼り付けて、このシート部材を折り返した部分によって吸収性本体の端縁を形成することとした。これにより、吸収性本体のウエスト周りの通気性と柔軟性を維持しつつ、且つ、尿漏れを防止することができるという知見を得た。そして、本発明者は、上記知見に基づけば、従来技術の課題を解決できることに想到し、本発明を完成させた。
具体的に説明すると、本発明は以下の構成を有する。
【００１０】
本発明は、使い捨ておむつに関する。
本発明の使い捨ておむつは、吸収性本体１０を備える。
吸収性本体１０は、吸収体１１と、当該吸収体１１の内面を被覆する液透過性のトップシート１２と、当該吸収体１１の外面を被覆する液不透過性のバックシート１３と、を有する。
ここで、本発明の使い捨ておむつは、さらに、通気性を持つ少なくとも一つのウエスト形成シート２０を備える。
まず、ウエスト形成シート２０は、吸収性本体１０の外面側に重ねられている。また、ウエスト形成シート２０は、吸収性本体１０の長手方向の端縁寄りの一端縁が固定端縁２１となり、他端縁が自由端縁２２となる。また、ウエスト形成シート２０は、固定端縁２１側の一部が、固定部２３において、吸収性本体１０の外面に対して固定されている。そして、ウエスト形成シート２０は、固定部２３を折返線として折り返すことで、自由端縁２２側の一部が、吸収性本体１０の長手方向の端縁から延出する。
【００１１】
上記構成のように、本発明では、使い捨ておむつの長手方向の端縁の少なくとも一方を、ウエスト形成シート２０によって構成している。ウエスト形成シート２０は、液不透過性のバックシート１３と比較して通気性及び柔軟性が高い。このため、使い捨ておむつの端縁をバックシート１３ではなく、このウエスト形成シート２０によって形成することで、使い捨ておむつの端縁近傍（ウエスト周り）の通気性と柔軟性を良好に維持することができる。他方、ウエスト形成シート２０は、吸収性本体１０の外面（着用者の肌に接しない面側）に固定されており、着用者の排泄物に直接的に接触するトップシート１２とは別体となっている。このため、使い捨ておむつの端縁をトップシート１２ではなく、このウエスト形成シート２０によって形成することで、使い捨ておむつの端縁近傍（ウエスト周り）からの尿漏れを防止することができる。
【００１２】
さらに付言すると、本発明の使い捨ておむつは、吸収性本体１０の外面にウエスト形成シート２０を固定し、このウエスト形成シート２０を折り返すことによって、使い捨ておむつのウエスト周りを形成するものである。このような構造の使い捨ておむつは、吸収性本体１０の外面にウエスト形成シート２０を貼り合わせるだけで簡単に製造することができる。従って、本発明によれば、通気性及び手触りが良く、漏れ防止効果の高い使い捨ておむつを、安価且つ高速で大量に生産することができる。
【００１３】
また、本発明の使い捨ておむつでは、吸収性本体１０の外面に固定したウエスト形成シート２０を、この固定部２３において折り返して使用することとしている。このように、ウエスト形成シート２０を折り返して使用する形態とすることにより、ウエスト形成シート２０を備える使い捨ておむつを、より安価に製造することが可能となる。
例えば、本発明のようにウエスト形成シート２０を折り返す構造を用いずとも、図８の参考図に示されるように、ウエスト形成シート２０を固定部２３において折り返さない態様で、順手方向に固定する形態も考えられる。しかし、図８の参考図に示す形態は、使い捨ておむつの連続的生産が困難になることから現実的ではない。すなわち、通常、使い捨ておむつを製造するにあたり、まず、吸収性本体１０が長手方向に複数個連続した状態にある連続体を製造する。つまり、製造途中の段階においては、吸収性本体１０は、その長手方向両端部に他の吸収性本体１０´が連続した状態にある。そして、個別の吸収性本体１０を製造するに際し、長手方向の両端縁に相当する位置において、吸収性本体の連続体を順番に切断していく。このとき、図８に示されるように、ウエスト形成シート２０が吸収性本体１０の長手方向端縁から延出した状態となっていると、吸収性本体１０を個別に切断する際に、このウエスト形成シート２０も一緒に切断されてしまうこととなる。このため、ウエスト形成シート２０は、使い捨ておむつの製造途中においては、吸収性本体１０の長手方向端縁から延出しないように取り付けられていることが好ましいといえる。
一方、本発明の技術では、上述したとおり、ウエスト形成シート２０を固定部２３において折り返すことで、はじめてウエスト形成シート２０が、吸収性本体１０の長手方向端縁から延出するようになる。つまり、ウエスト形成シート２０は、吸収性本体１０の切断位置と離れた位置において、吸収性本体１０と重ねて固定されている。このため、吸収性本体の連続体に対してウエスト形成シート２０を取り付けた場合であっても、この吸収性本体の連続体が切断される際に、ウエスト形成シート２０が共に切断されるようなことがない。このため、本発明のように、ウエスト形成シート２０が、初期状態においては、吸収性本体１０の長手方向端縁から延出しないように取り付けられている方が、圧倒的に生産性が高くなる。すなわち、本発明の使い捨ておむつは、より安価で製造できることになる。
【００１４】
本発明の使い捨ておむつにおいて、ウエスト形成シート２０には、当該ウエスト形成シート２０の幅方向両端縁から延出する少なくとも左右一対の止着テープ３０が取り付けられていることが好ましい。
【００１５】
上記構成のように、ウエスト形成シート２０に止着テープ３０を取り付けることで、簡単にテープ型の使い捨ておむつおを形成することができる。特に、本発明では、ウエスト形成シート２０を固定部２３で折り返して、ウエスト形成シート２０と吸収性本体１０を剥がれにくくしているため、着用時に強く引っ張られる止着テープ３０を取り付けても問題なく使用することができる。
【００１６】
本発明の使い捨ておむつにおいて、ウエスト形成シート２０は、２つ含まれることが好ましい。ウエスト形成シート２０のうちの一つは、吸収性本体１０の前身頃１０Ａ側に位置する前身頃シート２０Ａであり、ウエスト形成シート２０のうちのもう一つは、吸収性本体１０の後身頃１０Ｂ側に位置する後身頃シート２０Ｂである。
そして、前身頃シート２０Ａと後身頃シート２０Ｂは、切断可能線２４を介して予め一体に形成されていることが好ましい。この場合に、切断可能線２４を破断させたときの破断線が、前身頃シート２０Ａの自由端縁２２と、後身頃シート２０Ｂの自由端縁２２と、に相当するものとなる。
【００１７】
上記構成のように、本発明の好ましい形態では、吸収性本体１０の外面に一つのシート部材を取り付け、このシート部材を切断可能線２４（ミシン目等）において分断するとで、２つのウエスト形成シート（前身頃シート２０Ａと後身頃シート２０Ｂ）を形成する。この構成によれば、切断可能線２４が形成されたシート部材を吸収性本体１０の外面に固定するだけで、簡単に使い捨ておむつを製造することが可能となる。つまり、前身頃シート２０Ａと後身頃シート２０Ｂを同時に形成することができるため、これらのシートを別々に形成するコストを省略することができる。また、本発明の好ましい形態によれば、着用者は、使い捨ておむつを装着する直前まで、前身頃シート２０Ａと後身頃シート２０Ｂを繋ぐ切断可能線２４を破断させずにおくことができる。このため、装着前の段階において、着用者は使い捨ておむつをコンパクトに収納できる。さらに、本発明の好ましい形態によると、使い捨ておむつを装着するためには、切断可能線２４を破断させる必要がある。従って、着用者は、切断可能線２４が破断されていなければ未使用のおむつであることを確認することができるため、安心して未使用のおむつを使用することができる。
【００１８】
本発明の使い捨ておむつにおいて、前身頃シート２０Ａと後身頃シート２０Ｂは、別々のシートであってもよい。
【００１９】
上記構成のように、前身頃シート２０Ａと後身頃シート２０Ｂを別体で形成することで、各シート２０Ａ、２０Ｂの長さの調整や素材の選択を、それぞれ自由に行うことができる。例えば、前身頃シート２０Ａと後身頃シート２０Ｂは、その幅や長さを、別々に好ましい値に設定することができる。また、後身頃側の後身頃シート２０Ｂは、幅方向に伸縮性があることが好ましいが、前身頃側の前身頃シート２０Ａは伸縮性を付与する必要性が低い。従って、前身頃側と後身頃側のウエスト形成シート２０を素材は同じにする必要はない。一般的に、伸縮性の材料は、たとえば不織布などの非伸縮性の材料と比較して材料コストが高い。このため、前身頃シート２０Ａと後身頃シート２０Ｂの両方を伸縮性材料で形成した場合と比較し、後身頃シート２０Ｂのみを伸縮性材料で形成した場合の方が、使い捨ておむつの製造コストを抑えることができる。
【００２０】
本発明の使い捨ておむつにおいて、吸収性本体１０は、前身頃１０Ａ及び後身頃１０Ｂの少なくともいずれか一方に、幅方向の左右外側に延出した左右一対のサイドフラップ１４を有することとしてもよい。この場合、サイドフラップ１４には、幅方向の端縁から延出する止着テープ１５が取り付けられていることが好ましい。
さらに、ウエスト形成シート２０の固定端縁２１側の一部は、固定部２３において、吸収性本体１０のサイドフラップ１４が形成された部分の外面に対して固定されていることが好ましい。
【００２１】
上記構成のように、吸収性本体１０にサイドフラップ１４を形成し、このサイドフラップ１４に止着テープ１５を取り付けて、さらに、止着テープ３０が取り付けられたウエスト形成シート２０を、このサイドフラップ１４に取り付ける。これにより、吸収性本体１０とウエスト形成シート２０のそれぞれに、止着テープ１５、３０を取り付けることができるようになる。その結果、吸収性本体１０と着用者の身体との密着性が高まる。
【００２２】
本発明の使い捨ておむつは、さらに、ポケットシート５０を有していてもよい。
ポケットシート５０は、接合部５１において、固定部２３において折り返された状態におけるウエスト形成シート２０の内面側に接合されている。
ここで、この接合部５１は、ポケットシート５０が、ウエスト形成シート２０の固定端縁２１側が開口となるポケットを形成するように、ポケットシート５０とウエスト形成シート２０を接合する。
【００２３】
上記構成のように、折り返された状態におけるウエスト形成シート２０の内面側に、ポケットシート５０を取り付けることで、例えば吸収性本体１０の長手方向端部を収納するためのポケットを形成することができる。すなわち、ポケットシート５０によって、吸収性本体１０の長手方向端部を覆うことで、この端部から尿などの排泄液が漏れ出すことを防止できる。さらに、ポケットシート５０により形成されたポケット（収納空間）に、吸収性本体１０の長手方向端部を挿し込むことで、吸収性本体１０が幅方向にずれにくくなる。これにより、吸収性本体１０が適切に着用者の股下にフィットするようになるため、漏れ防止効果がさらに向上する。
【発明の効果】
【００２４】
本発明によれば、使い捨ておむつの端縁近傍（ウエスト周り）の通気性と柔軟性を損なうことなく、しかも尿などの排泄物が漏れ出しにくい使い捨ておむつを提供することができる。
【図面の簡単な説明】
【００２５】
【図１】図１は、本発明の第１の実施形態に係る使い捨ておむつを説明するための平面展開図である。
【図２】図２は、本発明の第１の実施形態に係る使い捨ておむつの断面図である。
【図３】図３は、本発明の第２の実施形態に係る使い捨ておむつを説明するための平面展開図である。
【図４】図４は、本発明の第３の実施形態に係る使い捨ておむつを説明するための平面展開図である。
【図５】図５は、本発明の第４の実施形態に係る使い捨ておむつを説明するための平面展開図である。
【図６】図６は、本発明の第５の実施形態に係る使い捨ておむつを説明するための平面展開図である。
【図７】図７は、本発明の第５の実施形態に係る使い捨ておむつの断面図である。
【図８】図８は、本発明とは異なる形態を示す参考図である。
【発明を実施するための形態】
【００２６】
本願明細書において、「長手方向」というときは、吸収性本体の前身頃と後身頃を結ぶ方向（図のＹ軸方向）を意味し、「幅方向」というときは、吸収性本体の長手方向と直交する方向（図のＸ軸方向）を意味する。
また、本願明細書において、「Ａ〜Ｂ」とは、「Ａ以上Ｂ以下」であることを意味する。
【００２７】
以下、図面を用いて本発明を実施するための形態について説明する。本発明は、以下に説明する形態に限定されるものではなく、以下の形態から当業者が自明な範囲で適宜修正したものも含む。以下では、本発明に係る使い捨ておむつとして、テープ型の使い捨ておむつを例に挙げて説明する。たたし、本発明の技術は、テープ型の使い捨ておむつだけでなく、パンツ型の使い捨ておむつにも流用することができる。
【００２８】
［１．第１の実施形態］
図１は、本発明の第１の実施形態に係る使い捨ておむつを示している。図１では、使い捨ておむつを外面側（着用者の肌に接しない面側）から見た状態を示している。図１（ａ）は、ウエスト形成シート２０を折り返す前の状態であり、図１（ｂ）は、ウエスト形成シート２０を折り返した後の状態である。また、図２は、図１に示した使い捨ておむつの断面図である。図２（ａ）は、図１（ａ）に示したＹ１−Ｙ１線における断面図であり、図２（ｂ）は、図１（ｂ）に示したＹ２−Ｙ２線における断面図である。
【００２９】
図１及び図２に示されるように、本発明の使い捨ておむつ１００は、吸収性本体１０を含む。吸収性本体１０は、その長手方向において、着用者の腹部側に接する前身頃１０Ａと、着用者の背部側に接する後身頃１０Ｂの２つの領域に区分することができる。本実施形態において、吸収性本体１０は、その外形が略矩形状に形成されている。
【００３０】
図２の断面図に示されるように、吸収性本体１０は、基本的に、吸収体１１と、トップシート１２と、バックシート１３と、を含む。吸収体１１は、尿などの液体を吸収し、吸収した液体を保持するための部材である。トップシート１２は、吸収体１１の内面側を被覆し着用者の肌に直接接するように配置された液透過性のシート部材である。また、バックシート１３は、吸収体１１の外面側を被覆するように配置された液不透過性のシート部材である。トップシート１２とバックシート１３は、吸収体１１の周囲において、互いに接合されていることが好ましい。このようにして、トップシート１２とバックシート１３の間に吸収体１１が封入される。
【００３１】
具体的に説明すると、吸収体１１は、吸収性材料をコアラップシートによって被包することにより構成することができる。吸収性材料としては、公知の材料を採用できる。吸収性材料としては、例えば、粉砕パルプ（フラッフパルプ）、高吸収性ポリマー、又は親水性シートのうち１種類を単独で用いてもよいし、２種類以上を併用することとしてもよい。吸収性材料は、通常、単層又は複数層のマット状に形成されて用いられる。また、吸収性コアを被包するコアラップシートとしては、ティッシュペーパーなどの公知の液透過性シートを採用すればよい。
【００３２】
トップシート１２は、着用者の股下部の肌に直接接し、尿などの液体を吸収体３０に透過させる。このため、トップシート１２は、柔軟性が高い液透過性材料で構成される。液透過性とは、例えば、標準の大気圧下において、常温の水を５ｍｌその上に載せた場合に、１分未満の時間で水を透過する性質を意味する。トップシート１２を構成する液透過性材料の例は、織布、不織布、又は多孔性フィルムである。また、トップシート１２は、例えばポリプロピレンやポリエチレン、ポリエステル、ナイロンのような熱可塑性樹脂の繊維を親水化処理してさらに不織布にしたものを用いることとしてもよい。
【００３３】
バックシート１３は、トップシート１２を透過して吸収体１１に吸収された液体が、外部に漏出することを防止する。このため、バックシート１３は、液不透過性材料によって構成される。液不透過性とは、例えば、標準の大気圧下において、常温の水を５ｍｌその上に載せた場合に、１分以上経過してもその水を透過しない性質を意味する。バックシート１３を構成する液不透過材料の例は、ポリエチレン樹脂からなる液不透過性のフィルムである。特に、バックシート１３としては、０．１〜４μｍの微細な孔が複数形成された微多孔性ポリエチレンフィルムを用いることが好ましい。
【００３４】
上記した吸収性本体１０の構造は、最も基本的なものであり、その他公知の構成を適宜採用することができる。例えば、吸収性本体１０は、幅方向両側に防漏壁として機能する立体ギャザー（図示省略）が形成されていてもよい。また、吸収性本体１０は、バックシート１３のさらに外面に、カバーシート（図示省略）を貼り合わせることとしてもよい。カバーシートは、吸収性物品の最外層に位置するシート部材であり、バックシート１３を保護するとともに、バックシート１３の手触りを良好なものとするために配置される。カバーシートは、手触りの良い不織布などで構成することが好ましい。
【００３５】
続いて、図１及び図２に示されるように、本発明の使い捨ておむつ１００は、ウエスト形成シート２０をさらに含む。ウエスト形成シート２０は、吸収性本体１０の外面（バックシート１３の外面）に重ね合わされる。ウエスト形成シート２０は、使い捨ておむつの長手方向の端縁を形成するためのシート部材である。
【００３６】
ウエスト形成シート２０は、使い捨ておむつの長手方向端縁近傍（ウエスト周り部分）の通気性と手触りの良さを確保するために、通気性があり、且つ、柔らかい素材で形成することが好ましい。例えば、ウエスト形成シート２０は、上述したトップシート１２と同様の素材で形成することができる。例えば、ウエスト形成シート２０は、通気性と手触りが良い不織布で形成することが好ましい。さらに、ウエスト形成シート２０は、液不透過性不織布であることが好ましい。ウエスト形成シート２０は、一枚のシート部材によって構成することとしてもよいし、複数枚のシート部材を重ね合わせて構成することもできる。
【００３７】
また、ウエスト形成シート２０は、幅方向の伸縮性を有することが好ましい。例えば、ウエスト形成シート２０は、伸縮性を有する伸縮シートによって形成されていてもよいし、糸ゴムなどの弾性伸縮部材によって伸縮性が付与されたものであってもよい。例えば、ウエスト形成シート２０は、複数枚のシート部材の間に伸長状態にある弾性伸縮部材を挟み込んで固定したものであってもよい。
【００３８】
図１（ａ）及び図２（ａ）に示されるように、本実施形態において、ウエスト形成シート２０は、前身頃シート２０Ａと後身頃シート２０Ｂとが予め一体に形成されたシート部材によって構成されている。前身頃シート２０Ａは、吸収性本体１０の前身頃１０Ａ側の外面に位置するウエスト形成シートである。また、後身頃シート２０Ｂは、吸収性本体１０の後身頃１０Ｂ側の外面に位置するウエスト形成シートである。具体的には、本実施形態において、前身頃シート２０Ａと後身頃シート２０Ｂとは、幅方向に延びる一本の切断可能線２４において分断することができるように、予め互いに連結された状態にある。切断可能線２４の例は、ミシン目である。この切断可能線２４を破断させることで、前身頃シート２０Ａと後身頃シート２０Ｂとが別々の部材に分断されるように構成されている。
【００３９】
図１（ａ）及び図２（ａ）に示されるように、前身頃シート２０Ａと後身頃シート２０Ｂは、それぞれ、固定端縁２１と自由端縁２２とを有している。具体的に説明すると、前身頃シート２０Ａの固定端縁２１とは、前身頃シート２０Ａの長手方向の両端縁のうち、吸収性本体１０の前身頃１０Ａ側の長手方向端縁に近い方の端縁である。また、前身頃シート２０Ａの自由端縁２２とは、前身頃シート２０Ａの長手方向の両端縁のうち、吸収性本体１０の前身頃１０Ａ側の長手方向端縁から遠い方の端縁である。本実施形態において、前身頃シート２０Ａの自由端縁２２は、切断可能線２４と一致している。他方、後身頃シート２０Ｂの固定端縁２１とは、後身頃シート２０Ｂの長手方向の両端縁のうち、吸収性本体１０の後身頃１０Ｂ側の長手方向端縁に近い方の端縁である。また、後身頃シート２０Ｂの自由端縁２２とは、後身頃シート２０Ｂの長手方向の両端縁のうち、吸収性本体１０の後身頃１０Ｂ側の長手方向端縁から遠い方の端縁である。本実施形態において、後身頃シート２０Ｂの自由端縁２２は、切断可能線２４と一致している。すなわち、切断可能線２４を破断させることで、前身頃シート２０Ａの自由端縁２２と、後身頃シート２０Ｂの自由端縁２２とが、同時に形成される。
【００４０】
図１（ａ）及び図２（ａ）に示されるように、前身頃シート２０Ａと後身頃シート２０Ｂは、それぞれ、固定端縁２１側の一部に、固定部２３が形成されている。固定部２３は、前身頃シート２０Ａと後身頃シート２０Ｂが、それぞれ、吸収性本体１０の外面に固定された部分である。固定部２３は、例えば、ホットメルト接着剤を塗布したり、超音波シールやヒートシールを施すことにより形成することができる。図１（ａ）に示されるように、固定部２３は、各シート２０Ａ、２０Ｂの固定端縁２１の近傍において、固定端縁２１に沿って幅方向に延びるように形成されていることが好ましい。例えば、固定部２３は、各シート２０Ａ、２０Ｂの固定端縁２１からの距離が０〜４０ｍｍの範囲内に形成されていることが好ましい。また、図１（ａ）に示されるように、固定部２３は、固定端縁２１の近傍において吸収性本体１０と各シート２０Ａ、２０Ｂが重なる領域の幅方向の略全域に亘って形成されていることが好ましい。また、固定部２３は、直線状であることが好ましい。さらに、吸収性本体の長手方向（Ｙ軸方向）における固定部２３の幅は、３ｍｍ〜３０ｍｍ、５ｍｍ〜２５ｍｍ、又は１０ｍｍ〜２０ｍｍであることが好ましい。
【００４１】
このように、前身頃シート２０Ａと後身頃シート２０Ｂは、固定部２３において、吸収性本体１０の外面に固定される。このとき、図１（ａ）に示されるように、各シート２０Ａ、２０Ｂは、吸収性本体１０の長手方向の両端縁から延出しないように、その外面に固定されることとなる。つまり、各シート２０Ａ、２０Ｂは、後述するように折り返す前の状態において、吸収性本体１０の長手方向の両端縁から延出しないようにして、その外面に固定されている。すなわち、ウエスト形成シート２０の固定端縁２１は、吸収性本体１０の長手方向端縁と一致するか、若しくは、吸収性本体１０の長手方向端縁よりも股下側よりの位置に固定されている。同様に、ウエスト形成シート２０の自由端縁２２も、吸収性本体１０の長手方向端縁と一致するか、若しくは、吸収性本体１０の長手方向端縁よりも股下側よりの位置に位置している。
【００４２】
また、図１（ａ）に示されるように、前身頃シート２０Ａと後身頃シート２０Ｂは、固定部２３で固定された状態において、吸収性本体１０の幅方向の両端縁から延出するものであることが好ましい。つまり、前身頃シート２０Ａと後身頃シート２０Ｂは、それぞれ、吸収性本体１０の幅よりも幅広に形成されていることが好ましい。例えば、吸収性本体１０の幅を１００％とした場合に、前身頃シート２０Ａと後身頃シート２０Ｂの幅は、それぞれ、１１０％〜２００％、又は１２０％〜１８０％であることが好ましい。
【００４３】
図１（ａ）に示されるように、前身頃シート２０Ａと後身頃シート２０Ｂは、固定端縁２１側の一部が固定部２３において吸収性本体１０に固定されているものの、固定部２３よりも自由端縁２２側に位置する領域は、吸収性本体１０に固定されていない。このため、図１（ａ）に示されるように、前身頃シート２０Ａは、固定部２３に沿った折返線（Ａ）において、自由端縁２２側の領域を、吸収性本体１０の前身頃１０Ａ側の長方向端縁側に向かって、折り返すことができる。同様に、後身頃シート２０Ｂは、固定部２３に沿った折返線（Ｂ）において、自由端縁２２側の領域を、吸収性本体１０の後身頃１０Ｂ側の長方向端縁側に向かって、折り返すことができる。このように、前身頃シート２０Ａと後身頃シート２０Ｂとを折り返した状態が、図１（ｂ）及び図２（ｂ）に示されている。
【００４４】
図１（ｂ）及び図２（ｂ）に示されているように、まず、前身頃シート２０Ａを、固定部２３に沿った折返線（Ａ）において折り返すことで、自由端縁２２側の領域の一部が、吸収性本体１０の前身頃１０Ａ側の長手方向端縁よりも延出する。このように前身頃シート２０Ａを折り返すことで、延出部分２６が形成される。同様に、後身頃シート２０Ｂを、固定部２３に沿った折返線（Ｂ）において折り返すことで、自由端縁２２側の領域の一部が、吸収性本体１０の後身頃１０Ｂ側の長手方向端縁よりも延出する。このように後身頃シート２０Ｂを折り返すことで、延出部分２６が形成される。前身頃シート２０Ａと後身頃シート２０Ｂの延出部分２６の長さ（Ｙ軸方向の長さ）は、適宜調節できる。例えば、前身頃シート２０Ａと後身頃シート２０Ｂの延出部分２６は、それぞれ、５ｍｍ〜１００ｍｍ、２０ｍｍ〜８０ｍｍ、又は３０ｍｍ〜６０ｍｍ程度の長さを有していることが好ましい。
【００４５】
図１（ｂ）に示されるように、前身頃シート２０Ａと後身頃シート２０Ｂを折り返すことで、吸収性本体１０の長手方向両側に、着用者の腹部に接するウエスト部分が形成される。つまり、前身頃シート２０Ａと後身頃シート２０Ｂの延出部分２６が、それぞれ、着用者の腹部に接するウエスト部分となる。上述したとおり、ウエスト形成シート２０（前身頃シート２０Ａと後身頃シート２０Ｂ）は、液不透過性のバックシート１３と比較して通気性及び柔軟性が高い。このため、使い捨ておむつの端縁をバックシート１３ではなく、このウエスト形成シート２０によって形成することで、使い捨ておむつの端縁近傍（ウエスト周り）の通気性と柔軟性を良好に維持することができる。他方、ウエスト形成シート２０（前身頃シート２０Ａと後身頃シート２０Ｂ）は、吸収性本体１０の外面（に固定されており、着用者の排泄物に直接的に接触するトップシート１２とは別体となっている。このため、使い捨ておむつの端縁をトップシート１２ではなく、このウエスト形成シート２０によって形成することで、使い捨ておむつの端縁近傍（ウエスト周り）からの尿漏れを防止することができる。
【００４６】
また、図１（ａ）及び図１（ｂ）に示されるように、本発明の使い捨ておむつ１００は、さらに、止着テープ３０を含むことが好ましい。本実施形態において、止着テープ３０は、後身頃シート２０Ｂの幅方向の両側の端縁から延出するように、後身頃シート２０Ｂの幅方向の両側に取り付けられている。止着テープ３０は、少なくとも左右一対設けられていることが好ましく、左右二対設けられていてもよい。止着テープ３０は、後身頃シート２０Ｂを前身頃シート２０Ａに連結するための部材である。止着テープ３０は、ファスニングテープとも呼ばれる公知の部材である。止着テープ３０は、前身頃シート２０Ａと係合するものであればよく、例えば面ファスナーのフック材などの公知の部材を利用することができる。
【００４７】
また、図１（ａ）に示されるように、本実施形態において、後身頃シート２０Ｂは、固定端縁２１側の両角部分に、切欠部２５が形成されている。図１（ｂ）に示した状態を見れば判るように、固定端縁２１側の両角に切欠部２５を形成することで、着用者の脚周りに相当する部分を広く開放できる。これにより、後身頃シート２０Ｂに切欠部２５を形成することで、着用者の両脚に後身頃シート２０Ｂが接触しにくくなるため、着用感が向上する。なお、本実施形態では、後身頃シート２０Ｂにのみ切欠部２５を形成しているが、前身頃シート２０Ａに切欠部を形成することも可能である。
【００４８】
図１及び図２に示した第１の実施形態では、吸収性本体１０の外面に一つのシート部材を取り付け、このシート部材を切断可能線２４（ミシン目等）において分断するとで、２つのウエスト形成シート２０（前身頃シート２０Ａと後身頃シート２０Ｂ）を形成する。この構成によれば、切断可能線２４が形成されたシート部材を吸収性本体１０の外面に固定するだけで、簡単に使い捨ておむつを製造することが可能となる。つまり、前身頃シート２０Ａと後身頃シート２０Ｂを同時に形成することができるため、これらのシートを別々に形成するコストを省略できる。また、第１の実施形態によれば、着用者は、使い捨ておむつを装着する直前まで、前身頃シート２０Ａと後身頃シート２０Ｂを繋ぐ切断可能線２４を破断させずにおくことができる。このため、装着前の段階において、使い捨ておむつをコンパクトに収納できる。さらに、第１の実施形態では、使い捨ておむつを装着するためには、切断可能線２４を破断させる必要がある。従って、着用者は、切断可能線２４が破断されていなければ未使用のおむつであることを確認することができるため、安心して未使用のおむつを使用することができる。
【００４９】
また、本発明の使い捨ておむつでは、図１及び図２に示すように、吸収性本体１０の外面に固定したウエスト形成シート２０を、この固定部２３において折り返して使用することとしている。このように、ウエスト形成シート２０を折り返して使用する形態とすることにより、ウエスト形成シート２０を備える使い捨ておむつを、より安価に製造することが可能となる。
例えば、本発明のようにウエスト形成シート２０を折り返す構造を用いずとも、図８の参考図に示されるように、ウエスト形成シート２０を固定部２３において折り返さない態様で、順手方向に固定する形態も考えられる。しかし、図８の参考図に示す形態は、使い捨ておむつの連続的生産が困難になることから現実的ではない。すなわち、通常、使い捨ておむつを製造するにあたり、まず、吸収性本体１０が長手方向に複数個連続した状態にある連続体を製造する。つまり、製造途中の段階においては、吸収性本体１０は、その長手方向両端部に他の吸収性本体１０´が連続した状態にある。そして、個別の吸収性本体１０を製造するに際し、長手方向の両端縁に相当する位置において、吸収性本体の連続体を順番に切断していく。このとき、図８に示されるように、ウエスト形成シート２０が吸収性本体１０の長手方向端縁から延出した状態となっていると、吸収性本体１０を個別に切断する際に、このウエスト形成シート２０も一緒に切断されてしまうこととなる。このため、ウエスト形成シート２０は、使い捨ておむつの製造途中においては、吸収性本体１０の長手方向端縁から延出しないように取り付けられていることが好ましいといえる。
一方、本発明の技術では、図１及び図２に示されるように、ウエスト形成シート２０を固定部２３において折り返すことで、はじめてウエスト形成シート２０が、吸収性本体１０の長手方向端縁から延出するようになる。つまり、ウエスト形成シート２０は、吸収性本体１０の切断位置と離れた位置において、吸収性本体１０と重ねて固定されている。このため、吸収性本体の連続体に対してウエスト形成シート２０を取り付けた場合であっても、この吸収性本体の連続体が切断される際に、ウエスト形成シート２０が共に切断されるようなことがない。このため、本発明のように、ウエスト形成シート２０が、初期状態においては、吸収性本体１０の長手方向端縁から延出しないように取り付けられている方が、圧倒的に生産性が高くなる。すなわち、本発明の使い捨ておむつは、より安価で製造できることになる。
【００５０】
［２．第２の実施形態］
続いて、図３を参照して、本発明の使い捨ておむつの第２の実施形態について説明する。以下の実施形態については、上述した第１の実施形態と異なる点を中心に説明を行い、第１の実施形態と同じ構成についてはその説明を割愛する。
【００５１】
図３に示されるように、第２の実施形態では、前身頃側と後身頃側のウエスト形成シート２０（前身頃シート２０Ａと後身頃シート２０Ｂ）が、別々のシート部材によって形成されている。前身頃形成シート２０Ａと後身頃シート２０Ｂは、同じ素材で形成されていてもよいし、異なった素材で形成されていてもよい。また、前身頃形成シート２０Ａと後身頃シート２０Ｂは、もともと同一の長尺シートであったものを切断して別々に形成されていてもよいし、もとから別々のシートとであってもよい。
【００５２】
例えば、図３（ａ）に示されるように、前身頃シート２０Ａと後身頃シート２０Ｂは、別々のシート部材であるため、それぞれの自由端縁２２が互いに乖離したり又は重畳した状態で、吸収性本体１０に固定することができる。また、前身頃シート２０Ａと後身頃シート２０Ｂは、それぞれの幅が異なるものとすることもできる。また、前身頃シート２０Ａと後身頃シート２０Ｂは、長手方向の長さを自由に調節することができる。さらに、前身頃シート２０Ａと後身頃シート２０Ｂは、独立したシート部材であるため、それぞれを形成する材料を異ならせることもできる。
【００５３】
第２の実施形態のように、前身頃シート２０Ａと後身頃シート２０Ｂを別体で形成することで、各シート２０Ａ、２０Ｂの長さの調整や素材の選択を、それぞれ自由に行うことができる。例えば、前身頃シート２０Ａと後身頃シート２０Ｂは、その幅や長さを、別々に好ましい値に設定することができる。また、後身頃側の後身頃シート２０Ｂは、幅方向に伸縮性があることが好ましいが、前身頃側の前身頃シート２０Ａは伸縮性を付与する必要性が低い。従って、前身頃側と後身頃側のウエスト形成シート２０を素材は同じにする必要はない。一般的に、伸縮性の材料は、たとえば不織布などの非伸縮性の材料と比較して材料コストが高い。このため、前身頃シート２０Ａと後身頃シート２０Ｂの両方を伸縮性材料で形成した場合と比較し、後身頃シート２０Ｂのみを伸縮性材料で形成した場合の方が、使い捨ておむつの製造コストを抑えることができる。
【００５４】
［３．第３の実施形態］
続いて、図４を参照して、本発明の使い捨ておむつの第３の実施形態について説明する。
図４に示されるように、第３の実施形態では、ウエスト形成シート２０は、吸収性本体１０の後身頃１０Ｂ側にのみ取り付けられている。すなわち、第３の実施形態は、第１の実施形態とは異なり、前身頃シート２０Ａが存在せず、後身頃シート２０Ｂのみが設けられている。
【００５５】
また、第３の実施形態では、前身頃シート２０Ａの代わりとして、吸収性本体１０の前身頃１０Ａの左右両端に、フラップシート４０が設けられている。左右一対のフラップシート４０は、吸収性本体１０の幅方向の左右両端縁から延出するようにして、吸収性本体１０の外面に固定される。フラップシート４０は、後身頃シート２０Ｂに取り付けられた止着テープ３０と係合する部材である。つまり、後身頃シート２０Ｂの止着テープ３０をフラップシート４０に係合させることで、着用者は使い捨ておむつを着用することができる。
【００５６】
また、第３の実施形態では、後身頃シート２０Ｂに切欠部２５が形成されていない。このため、後身頃シート２０Ｂは、略矩形状に構成されている。
【００５７】
第３の実施形態のように、吸収性本体１０の後身頃１０Ｂ側にのみウエスト形成シート２０（後身頃シート２０Ｂ）を設けることで、使い捨ておむつの製造コストを低減させることができる。また、ウエスト形成シート２０（後身頃シート２０Ｂ）に切欠部２５を形成しないことで、生産性も向上する。
【００５８】
［４．第４の実施形態］
続いて、図５を参照して、本発明の使い捨ておむつの第４の実施形態について説明する。
図５（ａ）は、ウエスト形成シート２０（後身頃シート２０Ｂ）を吸収性本体１０の外面に固定する前の状態を模式的に示している。図５（ａ）に示されるように、第４の実施形態では、吸収性本体１０の後身頃１０Ｂに、サイドフラップ１４が形成されている。サイドフラップ１４は、吸収性本体１０の長手方向中央（股下部分）よりも幅広に形成されている部分である。本実施形態では、吸収性本体１０の後身頃１０Ｂ側にのみサイドフラップ１４を形成しているが、前身頃１０Ａ側にサイドフラップ１４を形成することもできる。
【００５９】
また、第４の実施形態において、サイドフラップ１４には、止着テープ１５が取り付けられている。ここで、本願明細書では、後身頃シート２０Ｂに取り付けられている止着テープ３０を「第１の止着テープ３０」とし、サイドフラップ１４に取り付けられている止着テープ１５を「第２の止着テープ１５」として、それぞれ区別する。第２の止着テープ１５は、サイドフラップ１４の幅方向の両端縁から延出するように、このサイドフラップ１４に対して固定されている。
【００６０】
また、第４の実施形態では、ウエスト形成シート２０は、吸収性本体１０の後身頃１０Ｂ側にのみ取り付けられている。すなわち、第３の実施形態は、第１の実施形態とは異なり、前身頃シート２０Ａが存在せず、後身頃シート２０Ｂのみが設けられている。その代わりとして、第４の実施形態では、上述した第３の実施形態と同様に、吸収性本体１０の前身頃１０Ａの左右両端に、フラップシート４０が設けられている。
【００６１】
また、図５（ｂ）は、後身頃シート２０Ｂを吸収性本体１０の外面に取り付けた状態を示している。図５（ｂ）に示されるように、第４の実施形態において、後身頃シート２０Ｂは、吸収性本体１０うち、サイドフラップ１４が形成された後身頃１０Ｂ側の部分の外面に対して取り付けられている。すなわち、後身頃シート２０Ｂの固定端縁２１側の一部は、固定部２３において、吸収性本体１０のサイドフラップ１４が形成された部分の外面に固定されている。
【００６２】
また、後身頃シート２０Ｂは、吸収性本体１０のサイドフラップ１４が形成された部分と、ほぼ等しい幅を有することが好ましい。これにより、吸収性本体１０と後身頃シート２０Ｂとで、着用者の背部側を広く覆うことができるようになる。
【００６３】
また、図５（ｃ）は、後身頃シート２０Ｂを固定部２３に沿って折り返した状態を示している。図５（ｃ）に示されるように、後身頃シート２０Ｂを、固定部２３に沿った折返線（Ｂ）において折り返すことで、後身頃シート２０Ｂの自由端縁２２側の一部が、吸収性本体１０の後身頃１０Ｂの端縁から延出する。これにより、後身頃シート２０Ｂによって、着用者の背部に接するウエスト部分が形成される。
【００６４】
図５に示されるように、第４の実施形態では、後身頃シート２０Ｂに第１の止着テープ３０が取り付けられており、さらに、吸収性本体１０のサイドフラップ１４に第２の止着テープ１５が取り付けられている。このため、本実施形態では、吸収性本体１０とウエスト形成シート２０のそれぞれに、第１の止着テープ１５と第２の止着テープ３０とが取り付けられていることとなる。このため、第１の止着テープ１５と第２の止着テープ３０を利用して、着用者の股下に使い捨ておむつを装着することで、吸収性本体１０と後身頃シート２０Ｂとが、それぞれ着用者の身体に密着するようになる。その結果、使い捨ておむつ１００全体の密着性が高まる。
【００６５】
［５．第５の実施形態］
続いて、図６及び図７を参照して、本発明の使い捨ておむつの第５の実施形態について説明する。図６は、第５の実施形態に係る使い捨ておむつを示した平面展開図であり、図６（ａ）は、ウエスト形成シート２０を折り返す前の状態を示し、図６（ｂ）は、ウエスト形成シート２０を折り返した後の状態を示している。また、図７は、第５の実施形態に係る使い捨ておむつを示した断面図であり、図７（ａ）は、図６（ａ）のＹ３−Ｙ３線における断面状態を示し、図７（ｂ）は、図６（ｂ）のＹ４−Ｙ４線における断面状態を示している。
図６及び図７に示されるように、第５の実施形態に係る使い捨ておむつは、ポケットシート５０を有している。この点において、第１の実施形態とは異なる。
【００６６】
図６及び図７に示されるように、ポケットシート５０は、ウエスト形成シート２０のうちの前身頃シート２０Ａと後身頃シート２０Ｂの両方に取り付けることとしてもよい。ただし、ポケットシート５０は、前身頃シート２０Ａと後身頃シート２０Ｂのいずれか一方に取り付けられていればよい。また、ポケットシート５０は、図６（ｂ）や図７（ｂ）に示されるように、ウエスト形成シート２０が固定部２３において折り返された状態において、そのウエスト形成シート２０の内面側（着用者の肌に対向する面側）に取り付けられている。つまり、ポケットシート５０は、ウエスト形成シート２０が折り返される前の状態においては、ウエスト形成シート２０の外面側（着用者の肌に対抗しない面側）に位置する。そして、ポケットシート５０は、ウエスト形成シート２０が折り返されたときには、ウエスト形成シート２０の内面側（着用者の肌に対抗する面側）に位置するようになる。
【００６７】
図６及び図７に示されるように、ポケットシート５０は、接合部５１において、ウエスト形成シート２０に接合されている。接合部５１は、ホットメルト接着剤などの接着剤で形成されていてもよいし、ヒートシールや超音波シールなどの融着によって形成されていてもよい。図６（ａ）や図７（ａ）に示されるように、接合部５１は、ポケットシート５０が、ウエスト形成シート２０の固定端縁２１側が開口となるポケットを形成するように、ポケットシート５０とウエスト形成シート２０を接合している。図６（ａ）に示された例において、接合部５１は、ウエスト形成シート２０の固定端縁２１側が開口となる略コの字型に形成されている。ただし、接合部５１の形状は、コの字型に限定されるものではなく、Ｕ字型であってもよいし、その他一端縁が開口された多角形で形成されていてもよい。このように、ポケットシート５０が、例えば略コの字型の接合部５１で、ウエスト形成シート２０に接合されていることにより、ポケットシート５０とウエスト形成シート２０の間にはポケット（収納空間）が形成される。このポケットは、図６（ａ）や図７（ａ）に示されるように、ウエスト形成シート２０が折り返される前の状態において、ウエスト形成シート２０の固定端縁２３側が開口となっている。
【００６８】
図６（ｂ）や図７（ｂ）に示されるように、ウエスト形成シート２０を折り返した状態において、ポケットシート５０とウエスト形成シート２０の間に生じるポケットには、吸収性本体１０の長手方向の端縁部分が挿し込まれることが好ましい。図７（ｂ）に示されるように、ポケットシート５０によって吸収性本体１０の長手方向端部を覆うようにすることで、この端部に尿などの液体が達した場合であっても、このポケット内に流れ込むため、この端部から尿などの排泄液が漏れ出すことを防止できる。さらに、ポケットシート５０により形成されたポケット（収納空間）に、吸収性本体１０の長手方向端部を挿し込むことで、吸収性本体１０が幅方向にずれにくくなる。これにより、吸収性本体１０が適切に着用者の股下にフィットするようになるため、漏れ防止効果がさらに向上する。
【００６９】
具体的に説明すると、図７（ｂ）に示されるように、ポケットシート５０をウエスト形成シート２０に接合するための接合部５１は、折り返されたウエスト形成シート２０が吸収性本体１０の長手方向端縁から延出する部分（延出部分２６）に形成されている。このようにウエスト形成シート２０の延出部分２６に、ポケットシート５０の接合部５１の少なくとも一部を形成することで、ポケットシート５０が形成するポケットの中に、吸収性本体１０の長手方向端部を適切に挿し込むことができるようになる。さらに具体的に説明すると、この接合部５１は、ウエスト形成シート２０の自由端縁２２に沿って、ポケットシート５０をウエスト形成シート２０に接合するものであることが好ましい。これにより、ポケットシート５０が、ウエスト形成２シート２０の自由端縁２２近傍に位置するようになるため、ポケット内に吸収性本体１０の長手方向端部を挿し込み易くなる。
【００７０】
以上、本願明細書では、本発明の内容を表現するために、図面を参照しながら本発明の実施形態の説明を行った。ただし、本発明は、上記実施形態に限定されるものではなく、本願明細書に記載された事項に基づいて当業者が自明な変更形態や改良形態を包含するものである。
【産業上の利用可能性】
【００７１】
本発明は、使い捨ておむつに関する。従って、本発明は、使い捨ておむつの製造業において好適に利用し得る。
【符号の説明】
【００７２】
１０…吸収性本体        １０Ａ…前身頃          １０Ｂ…後身頃
１１…吸収体            １２…トップシート      １３…バックシート
１４…サイドフラップ    １５…止着テープ        ２０…ウエスト形成シート
２０Ａ…前身頃シート    ２０Ｂ…後身頃シート    ２１…固定端縁
２２…自由端縁          ２３…固定部            ２４…切断可能線
２５…切欠部            ２６…延出部分          ３０…止着テープ
４０…フラップシート    ５０…ポケットシート    ５１…接合部
１００…使い捨ておむつ
【図１】
2015150245.tif 000003
【図２】
2015150245.tif 000004
【図３】
2015150245.tif 000005
【図４】
2015150245.tif 000006
【図５】
2015150245.tif 000007
【図６】
2015150245.tif 000008
【図７】
2015150245.tif 000009
【図８】
2015150245.tif 000010